(57)【要約】【課題】被包装物が破損したり、袋体にピンホールが発生することがなく、簡単な構造で迅速に被包装物の充填包装ができる縦形製袋充填包装機を提供する。【解決手段】被包装物の充填時、前記被包装物が内側を落下する鉛直筒状の製袋チューブ２と、該製袋チューブ２の外周に沿って繰り出される筒状のフィルムｆを水平方向にシールして袋体の底を形成するための横シーラ４とを備えている縦形製袋充填包装機１であって、前記被包装物の充填時、前記被包装物が前記袋体の底に接触する前に、前記袋体の底近傍に上昇空気流１７を形成するためのエア噴出手段１４が前記製袋チューブ２の内側に設けられている。【選択図】図１
2010116177.tif 000002
【特許請求の範囲】
【請求項１】
被包装物の充填時、前記被包装物が内側を落下する鉛直筒状の製袋チューブと、
該製袋チューブの外周に沿って繰り出される筒状のフィルムを水平方向にシールして袋体の底を形成するための横シーラとを備えている縦形製袋充填包装機であって、
前記被包装物の充填時、前記被包装物が前記袋体の底に接触する前に、前記袋体の底近傍に上昇空気流を形成するためのエア噴出手段が前記製袋チューブ内側に設けられていることを特徴とする縦形製袋充填包装機。
【請求項２】
前記エア噴出手段は、前記製袋チューブの内壁面に沿って鉛直方向に配設されているエア供給管であり、該エア供給管からエアが噴出されるエア噴出口は前記横シーラ上面から所定距離離間して下向きに開口していることを特徴とする請求項１に記載の縦形製袋充填包装機。
【請求項３】
前記製袋チューブは、前記袋体を角底袋体に形成すべく、その下側部分が角筒状に形成されており、
前記エア供給管は、前記製袋チューブの角部に沿って配設されていることを特徴とする請求項２に記載の縦形製袋充填包装機。
【請求項４】
前記エア供給管は、前記製袋チューブの上端から突出し、前記製袋チューブの外側に配置されたエア導入口を有することを特徴とする請求項２又は３に記載の縦形製袋充填包装機。
【発明の詳細な説明】
【技術分野】
【０００１】
本発明は、袋体、特に角底袋体に被包装物を充填するための縦形製袋充填包装機に関するものである。
【背景技術】
【０００２】
縦形製袋充填包装機は、鉛直筒状の製袋チューブ内に被包装物を落下させ、下側に形成された袋体に被包装物を充填して包装するものである。被包装物が落下して袋体の底面に衝突する際に、被包装物が破損したり、袋体底面にピンホールが発生することがあるので、品質の低下につながっていた。
これを防止するため、製袋チューブ内にリフターを配設し、被包装物を製袋チューブ内で搬送する充填包装装置が開示されている（特許文献１参照）。この装置は、製袋チューブ上側で被包装物をリフターに載置し、リフターを低速度で下降させ、袋体底面の近傍でリフターを開放して被包装物を袋体に充填するものである。これにより、袋体への衝撃を緩和している。
【０００３】
しかしながら、上記特許文献１の充填包装装置では、被包装物の充填の際に、リフターの上昇及び下降、リフターの開放等が必要であるため、多大な時間を要し、迅速な包装が困難となっている。また、リフターを設置すると構造が複雑になり、設備が大掛かりとなる。
【特許文献１】特開平５−４２９０６号公報
【発明の開示】
【発明が解決しようとする課題】
【０００４】
本発明は、上記従来技術を考慮したものであって、被包装物を落下させて袋体に充填しても被包装物が破損することがなく、また袋体にピンホールが発生することがなく、さらに簡単な構造で迅速に被包装物の充填包装ができる縦形製袋充填包装機を提供することを目的とする。
【課題を解決するための手段】
【０００５】
前記目的を達成するため、請求項１の発明では、被包装物の充填時、前記被包装物が内側を落下する鉛直筒状の製袋チューブと、該製袋チューブの外周に沿って繰り出される筒状のフィルムを水平方向にシールして袋体の底を形成するための横シーラとを備えている縦形製袋充填包装機であって、前記被包装物の充填時、前記被包装物が前記袋体の底に接触する前に、前記袋体の底近傍に上昇空気流を形成するためのエア噴出手段が前記製袋チューブ内側に設けられていることを特徴とする縦形製袋充填包装機を提供する。
【０００６】
請求項２の発明では、請求項１の発明において、前記エア噴出手段は、前記製袋チューブの内壁面に沿って鉛直方向に配設されているエア供給管であり、該エア供給管からエアが噴出されるエア噴出口は前記横シーラ上面から所定距離離間して下向きに開口していることを特徴としている。
請求項３の発明では、請求項２の発明において、前記製袋チューブは、前記袋体を角底袋体に形成すべく、その下側部分が角筒状に形成されており、前記エア供給管は、前記製袋チューブの角部に沿って配設されていることを特徴としている。
【０００７】
請求項４の発明では、請求項２又は３の発明において、前記エア供給管は、前記製袋チューブの上端から突出し、前記製袋チューブの外側に配置されたエア導入口を有することを特徴としている。
【発明の効果】
【０００８】
請求項１の発明によれば、被包装物が袋体の底面に接触する前に、袋体底面近傍に上昇空気流を形成するためのエア噴出手段が設けられているため、被包装物が袋体底面に衝突する際の衝撃が緩和される。このため、簡単な構造で被包装物が破損することを防止し、袋体にピンホールが発生することを防止できる。さらに、従来のようにリフター等を使用せずに、被包装物を落下させて充填するので、迅速な包装を実現できる。
【０００９】
請求項２の発明によれば、エア噴出手段は、製袋チューブの内壁面に沿って鉛直方向に配設されているエア供給管であるため、被包装物が製袋チューブを落下する際に妨げとなることはなく、スムーズに落下させることができる。また、エア供給管からエアが噴出されるエア噴出口は横シーラ上面から所定距離離間して下向きに開口しているため、噴出されたエアは袋体の底面に反射して上昇空気流を形成するので、被包装物が袋体底面に衝突する際の衝撃緩和の増大を図ることができる。さらに、エア供給管にエア噴出口形成のための特別な加工を施す必要がなく、簡単な構造で被包装物の衝突緩和を実現できる。
【００１０】
請求項３の発明によれば、エア供給管は、下側が角筒状に形成されている製袋チューブの角筒部分の角部に沿って配設されているため、エアの流れを袋体底面の周囲から中央側に向けて生じさせることができる。このエアは中央側で互いにぶつかり、上昇空気流を形成する。筒状のフィルムとの接触によって落下が減速することがない筒状のフィルム中央側でも、上記上昇空気流を形成することにより、被包装物の落下速度を十分に低減させることができる。
【００１１】
請求項４の発明によれば、エア供給管は、製袋チューブの上端から突出して製袋チューブの外側にエア導入口が形成されているので、製袋チューブにエア供給管取り付けのための加工を施す必要がなく、構造が簡単で、着脱が容易となる。
【発明を実施するための最良の形態】
【００１２】
図１は本発明に係る縦形製袋充填包装機の概略図である。
図示したように、本発明に係る縦形製袋充填包装機１は、製袋チューブ２と、縦シーラ３と、横シーラ４とを備えている。製袋チューブ２は、鉛直筒状であり、上側が円筒状（円筒部２ａ）、下側が角筒状（角筒部２ｂ）に形成されている。製袋チューブ２の上方には、被包装物を投入するためのホッパー５が備えられている。被包装物は、主に食品であり、ラスク、乾パン、せんべい等である。
【００１３】
ホッパー５は、上下が開口した略漏斗状（図では略逆四角錘）であり、下側開口は製袋チューブの上端開口に収まり、上側開口は被包装物を投入しやすいように広がっている。円筒部２ａの外側には、フォーマ６が設けられている。フォーマ６は、製袋チューブ２を囲うようにして、帯状のフィルムｆをガイドするものである。フィルムｆは、リール７から複数のガイドローラ８を介してフォーマ６に繰り出される。フィルムｆは、フォーマ６にて製袋チューブ２の外周を覆うように略筒状に成形され、その両側縁は互いに合掌状に重ね合わされる。
【００１４】
フォーマ６の下側には、縦シーラ３が備えられている。縦シーラ３は、合掌状に重ね合わされたフィルムｆの両側縁を挟み込んでヒートシールして接着する。角筒部２ｂの両側にはフィルム繰り出し手段として一対のフィーダ９（図では一方のみ記載）が配設されている。フィーダ９は無端状のサクションベルト１０を有している。サクションベルト１０は、フィルムｆを吸着しながら充填チューブ２に沿ってその下方に向けて繰り出す。フィルムｆは、角筒部２ｂに沿って角筒形状となり、下側に繰り出される。
【００１５】
角筒部２ｂの下側には、横シーラ４が備えられている。横シーラ４は一対のヒータブロック４ａ、４ｂを有している。これらヒータブロック４ａ，４ｂは、水平方向に互いに接離することで開閉する。下側に繰り出された角筒状のフィルムｆはヒータブロック４ａ，４ｂで挟み込まれて横方向にシールされる。ヒータブロック４ａ又は４ｂのいずれか一方に切断刃１１が備えられていて、他方に切断刃１１を受け入れる溝が形成されている。フィルムｆを横方向にシールした後、切断することで袋体１２が製造される。フィルムが順次繰り出され、シールと切断が繰り返されることで、多数の袋体１２が製造される。このとき、切断箇所の下側は袋体１２として形成され、上側は袋体１２の底として形成される。
【００１６】
横シーラ４と製袋チューブ２の下端の間には、一対の三角板１３が配設されていて、横シーラ４の下側には、一対のガセット縦折り板１５が配設されている。横シーラ４と連動して三角板１３、縦折り板１５を作動させることで、袋体１２の底面がガセット角底形状となる。
製袋チューブ２の内壁面に沿って、エア供給管１４が鉛直方向に配設されている（図１では４本のエア供給管１４を示すが、製袋チューブ２内では、エア供給管の１本のみを点線で記載）。このため、被包装物が製袋チューブ２内を落下する際にエア供給管１４が妨げとなることはなく、スムーズに落下させることができる。
【００１７】
エア供給管１４は上端近傍が折れ曲がって形成されている。この折れ曲がり部分は、製袋チューブ２の上端よりも上側に形成されている。このエア供給管１４の上側端部がエア導入口１４ｂとなる。一方、エア供給管１４の下端のエア噴出口１４ａは、下向きに開口している。このように、エア供給管１４は製袋チューブ２に対して別体として取り付けられるため、製袋チューブ２に対してエア供給管取り付けのための加工を施す必要がなく、構造が簡単で、エア供給管１４の着脱が容易である。したがって、袋体の仕様や被包装物の種類によって、それに応じたエア供給管に容易に交換して対応できる。
【００１８】
図２は本発明に係る縦形製袋充填包装機の製袋チューブ下端近傍の概略断面図である。図３は、図２のＡ−Ａ概略断面図である。なお、図示されない符号は図１を参照する。
図は、袋体の底面が形成された状態を示す。図２に示すように、被包装物１６が製袋チューブ２内を落下して袋体の底面に接触する前に、エア供給管１４のエア噴出口１４ａからエアが噴出される。噴出されたエアは、袋体の底面に反射して上方向に移動したり横方向に移動し、互いにぶつかり合ったりして上昇空気流１７を形成する。この上昇空気流１７が、被包装物１６の落下速度を減少させ、したがって袋体底面に衝突する際の衝撃を緩和する。その衝撃緩和力は被落下物の破損及び袋体底面のピンホール発生防止に十分な効果を奏する。このような構成により、リフター等の被包装物の搬送設備が不要となるので、簡単な構成で迅速に被包装物を袋体に包装できる。エア噴出口１４ａにおけるエア噴出時間は、袋体１２の製造に悪影響を及ぼさない短時間である。このエア噴出時間は、被包装物の種類や充填時間等により変化する。エア噴出開始のタイミングは、横シーラ４が閉じたあとから被包装物が横シーラ上面に到達する間である。エア噴出停止のタイミングは、横シーラ４が開いてしまうとフィルムｆの繰り出しに影響があるため、横シーラが開く前である。なお、上昇空気流１７を形成できれば、エア噴出口１４ａの開口は下向きに限られず、横向きあるいは上向きでもよい。
【００１９】
図３に示すように、エア供給管１４は、角筒部２ｂの角部に沿って配設されている。したがって、エア噴出口１４ａが角底袋体の角部上方に配置される。エアの流れは、袋体底面の周囲から中央側に向けて生じる。エアは中央側で互いにぶつかり、上昇空気流を形成する。筒状のフィルムｆとの接触によって落下が減速することがない筒状のフィルムｆの中央側でも、上昇空気流１７を形成することにより、被包装物の落下速度を十分に低減させることができる。
【図面の簡単な説明】
【００２０】
【図１】本発明に係る縦形製袋充填包装機の概略図である。
【図２】本発明に係る縦形製袋充填包装機の製袋チューブ下端近傍の概略断面図である。
【図３】図２のＡ−Ａ概略断面図である。
【符号の説明】
【００２１】
１  縦形製袋充填包装機
２  製袋チューブ
２ａ  円筒部
２ｂ  角筒部
３  縦シーラ
４  横シーラ
４ａ  ヒータブロック
４ｂ  ヒータブロック
５  ホッパー
６  フォーマ
７  リール
８  ガイドローラ
９  フィーダ
１０  サクションベルト
１１  切断刃
１２  袋体
１３  三角板
１４  エア供給管
１４ａ  エア噴出口
１４ｂ  エア導入口
１５  縦折り板
１６  被包装物
１７  上昇空気流
ｆ  フィルム
【図１】
2010116177.tif 000003
【図２】
2010116177.tif 000004
【図３】
2010116177.tif 000005